(57)【要約】【課題】動力を用いることなく、作業台に乗った作業者が手動で昇降操作ができるようにした作業台を提供する。【解決手段】ベース２と作業台１がその両側において、パントグラフ機構４により連結され、該機構を構成する一方のリンク３ａの下端がベース２に回動可能に軸着されると共に、上端が作業台１にスライド可能に連結され、また他方のリンク３ｂは下端がベース２にスライド可能に連結されると共に、上端が前記作業台１に回動可能に軸着され、両パントグラフ機構４は、連結ロッド６を押し引きすることで屈伸される。連結ロッド５には作業台上の作業者により回動操作されるロッド状のハンドル７と、ハンドル７の回動操作により回動するネジ軸８と、該ネジ軸８及び前記連結ロッド６を連結し、ネジ軸８の回動によって連結ロッド６を押し引きする押動機構９を有し、ハンドル操作よりパントグラフ機構４が屈伸して作業台１が昇降する。【選択図】図１
0003180940.tif 000002
【実用新案登録請求の範囲】
【請求項１】
ベースと、該ベースと作業台を連結し、屈伸により作業台を昇降させるパントグラフ機構と、該パントグラフ機構を屈伸させるための屈伸機構を備え、作業台上には、前記屈伸機構を操作してパントグラフ機構を屈伸させる手動操作部材が設けられることを特徴とする作業台。
【請求項２】
前記パントグラフ機構は、一対のリンクをＸ状に組合せて回動可能に軸着した基本構造のリンク機構により構成されてベースの両側に配置され、これら両パントグラフ機構は上端及び下端において、前記一対のリンクよりなるリンク機構のうちの一方のリンクがベース又は作業台に軸着されると共に、他方のリンクが作業台又はベースにスライド可能に連結され、また前記屈伸機構は手動操作部材の操作により回動するネジ軸と、前記ベースの両側に配置される両パントグラフ機構のスライド可能である前記他方のリンク同士を連結し、前記ネジ軸の回動により、前記他方のリンクを押し引きする押動機構を備えることを特徴とする請求項１記載の作業台。
【考案の詳細な説明】
【技術分野】
【０００１】
本考案は、人が乗ったまま昇降操作が可能な作業台に関する。
【背景技術】
【０００２】
従来、例えば庭木の剪定や果実の剥ぎ取り、或いは樋の修理や清掃、壁面の塗装等、手の届かない高所での作業を行う場合には、通常、脚立や梯子が用いられ、また電柱や電信柱上での作業は通常、作業車に取付けた旋回可能なブームに作業台を取付け、該作業台に乗った作業者をブームを上下に旋回させ、作業台を昇降させることにより行っていた。このほかパントグラフ機構に作業台を取付け、パントグラフ機構を屈伸させることにより作業台を昇降させるようにした装置も知られる。
【考案の概要】
【考案が解決しようとする課題】
【０００３】
作業台をブームやパントグラフ機構に取付けたものは、作業台の高さ調整が可能で、好みの高さに調整して作業を行うことができるが、この種の従来の装置や機構では、作業台の昇降はモータよりなる動力によって行っており、動力源が必要でコスト高である。
【０００４】
本考案は、動力を用いることなく、作業台に乗った作業者が手動で昇降操作ができるようにした作業台を提供することを目的とする。
【課題を解決するための手段】
【０００５】
請求項１に係る考案の作業台は、ベースと、該ベースと作業台を連結し、屈伸により作業台を昇降させるパントグラフ機構と、該パントグラフ機構を屈伸させるための屈伸機構を備え、作業台上には、前記屈伸機構を操作してパントグラフ機構を屈伸させる手動操作部材が設けられることを特徴とする。
【０００６】
請求項２に係る考案の作業台は、請求項１に係る考案の作業台において、前記パントグラフ機構は、一対のリンクをＸ状に組合せて回動可能に軸着した基本構造のリンク機構により構成されてベースの両側に配置され、これら両パントグラフ機構は上端及び下端において、前記一対のリンクよりなるリンク機構のうちの一方のリンクがベース又は作業台に軸着されると共に、他方のリンクが作業台又はベースにスライド可能に連結され、また前記屈伸機構は手動操作部材の操作により回動するネジ軸と、前記ベースの両側に配置される両パントグラフ機構のスライド可能な前記他方のリンク同士を連結し、前記ネジ軸の回動により、前記他方のリンクを押し引きする押動機構を備えることを特徴とする。
【考案の効果】
【０００７】
請求項１に係る発明の作業台によると、作業者は作業台上で手動操作部材を操作することにより、パントグラフ機構を屈伸させて作業台を所望の高さに昇降させることができる。
【０００８】
請求項２に係る発明の作業台によると、手動操作部材の操作により押動機構が前記他方のリンクを押し引きしてパントグラフ機構を屈伸させ、作業台を昇降させるが、他方のリンクはベース又は作業台にスライド可能に連結されているため、スライドさせることにより、その押し引きは軽くスムースに行われ、したがって手動操作部材の操作による作業台の昇降が容易に行える。また他方のリンクの押し引きはネジ軸の回動によって行われるが、逆に他方のリンクを押し引きすることでネジ軸を回動させることはできないため、作業台上に人が乗っても、それらの自重で降下することはなく、任意の昇降位置で固定される。
【図面の簡単な説明】
【０００９】
【図１】本考案に係る作業台の概略斜視図。
【図２】押動機構の概略図。
【図３】ハンドルとネジ軸の別の態様を示す概略斜視図。
【考案を実施するための形態】
【００１０】
以下、本考案の実施形態の作業台を図面に従って説明する。
図１に示す作業台１は、矩形の平板状をなすパレットと、同じく矩形のフレームで構成され、コロ２ｃを備えて移動可能なベース２を有し、該ベース２の両側で作業台１とベース２が一対のリンク３ａ、３ｂを中央で軸着してＸ状に組合せたリンク機構により構成されるパントグラフ機構３により連結され、該パントグラフ機構３の屈伸により前記作業台１が昇降するようになっている。
【００１１】
ベース両側のパントグラフ機構３において、リンク機構を構成する一対のリンク３ａ、３ｂのうち、一方のリンク３ａは下端がベース２の長辺を構成するロッド２ａに回動可能に軸着されると共に、上端が作業台１裏面の両側にロッド２ａに対応して配設されたガイドロッド4にスライダー５によってスライド可能に支持され、また他方のリンク３ｂは下端が前記ベース２の長辺を構成するロッド２ａにスライダー５によってスライド可能に支持されると共に、上端が前記作業台１裏面の前記ガイドロッド4に回動可能に軸着されている。そしてベース両側のパントグラフ機構４は、前記他方のリンク３ｂのスライダー５同士が連結ロッド６で連結され、該連結ロッド６を押し引きすることで両リンク３ａ、３ｂのスライダー５がそれぞれロッド２ａ及び４に沿って進退しながら両側のパントグラフ機構３を屈伸させるようになっている。
【００１２】
前記連結ロッド６には、屈伸機構が連結される。この屈伸機構は作業台上の作業者により回動操作されるロッド状のハンドル７と、該ハンドル７に連結されてハンドル７と共にＴ形状をなし、ハンドル７の回動操作により回動するネジ軸８と、該ネジ軸８及び前記連結ロッド６を連結し、ネジ軸８の回動によって連結ロッド６を押し引きする押動機構９を有し、押動機構９は図２に示す例では、パントグラフ機構１１により構成されている。
【００１３】
前記パントグラフ機構１１は、ベース２の短辺を構成するロッド２ｂに固着されるブラケット１２と、連結ロッド６の中央部に固着の固定金具１３を連結し、屈伸によって連結ロッド６及びベース両側のパントグラフ機構３の前記他方のリンク３ｂを押し引きするようになっており、パントグラフ機構１１の屈伸のため、前記ネジ軸８の下端がパントグラフ機構１１を構成するリンク１４同士を谷状に軸着する軸着部１４ａに軸着され、谷状に連結されるリンク１４に対向して山状に連結されるリンク１４の軸着部１４ｂがネジ軸８の中間部に螺着されるナット１５にも軸着されれている。
【００１４】
本実施形態の作業台１において、作業台上で作業者がハンドル７の回動操作を行うと、ネジ軸８によりナット１５が昇降して押動機構９を構成するパントグラフ機構１１の谷状に屈折するリンク１４の谷部と、山状に屈折するリンク１４の山部とが拡縮してパントグラフ機構１１を屈伸させながら連結ロッド６を図の矢印方向に押し引きし（図２参照）、これによりスライダー５がロッド２ａ及び４に沿って進退し、パントグラフ機構３が屈伸して作業台１が昇降するようになっている。
【００１５】
本実施形態の作業台１によると、作業台上で作業台の昇降操作を行うことができ、またパントグラフ機構３を上述するようなネジ軸８を用いて直接屈伸させて作業台１を昇降させるのは、該作業台１や作業者の自重に抗して行う必要があり、多大な労力を要するが、連結ロッド４ａや他方のリンク３ｂの押し引きは、リンク３ｂがロッド２ａ及び４をスライドして行われるため、スムースに容易に行え、しかも作業台１に作業者が乗って負荷がかかった状態であっても、ナット１５がネジ軸８を回転させながらネジ軸８に沿って動いてパントグラフ機構１１が屈伸することはなく、したがってパントグラフ機構４の屈伸によって高さ調整された作業台１はロック状態となって動くことはなく固定状態に維持される。
【００１６】
図１に示すパントグラフ気候は、リンク機構一組で構成されているが、複数組のリンク機構を一連に連結したものであってもよい。
【００１７】
また押動機構としては、図２に示すパントグラフ機構１１に代え、例えばベース２に水平に軸支されるネジ軸と、ハンドル軸の回動をネジ軸に伝達する歯車機構と、前記ネジ軸に螺着され、ネジ軸の回動によりネジ軸に沿って移動し、前記連結ロッドに連結されるナットよりなる機構を用いることもできる。
【００１８】
前記実施形態のハンドル７は、ネジ軸８と一体に連結されているが、図３に示すようにハンドル７と一体をなす操作杆１４の下端にピン１２を側方に突出させて逆Ｔ形状に形成すると共に、ネジ軸８の上端より両側方にフォーク状部１３を一体形成し、ピン１２をフォーク状部１３に上方より嵌合係止させることによりハンドル操作でネジ軸８を回動させるようにしてもよい。ネジ軸８は全体にネジが形成されていなくても、ナット１５が昇降する箇所にのみネジが切られていても差し支えない。
【符号の説明】
【００１９】
１・・作業台
２・・ベース
３、３´・・リンク
４，１１・・パントグラフ機構
５・・連結ロッド
７・・ハンドル
８・・ネジ軸
【図１】
0003180940.tif 000003
【図２】
0003180940.tif 000004
【図３】
0003180940.tif 000005